(57)【要約】      （修正有）【課題】安定した発電が可能な発電装置を備えた監視装置を提供する。【解決手段】複数の発電用の太陽電池板２２０を有する発電装置２００と、カメラ装置１７０と、蓄電池と、本体制御装置と、カメラ制御装置と、通信装置と、収納箱２５０と、上記発電装置や上記カメラ装置や上記蓄電池や上記本体制御装置や上記カメラ制御装置や上記通信装置や上記収納箱を支えるための支柱１１０、を備え、上記収納箱を上記支柱に沿った方向に長い縦長形状とし、その外周に上記複数の発電用の太陽電池板を配置し、上記複数の発電用の太陽電池板を上記支柱に沿った方向に長い縦長形状とした、ことを特徴とする監視装置。【選択図】図１
0003204132.tif 000002
【実用新案登録請求の範囲】
【請求項１】
複数の発電用の太陽電池板を有する発電装置と、カメラ装置と、蓄電池と、本体制御装置と、カメラ制御装置と、通信装置と、収納箱と、上記発電装置や上記カメラ装置や上記蓄電池や上記本体制御装置や上記カメラ制御装置や上記通信装置や上記収納箱を支えるための支柱、を備え、
上記収納箱を上記支柱に沿った方向に長い縦長形状とし、その外周に上記複数の発電用の太陽電池板を配置し、上記複数の発電用の太陽電池板を上記支柱に沿った方向に長い縦長形状とした、ことを特徴とする監視装置。
【請求項２】
請求項１に記載の監視装置において、上記発電装置は３枚の太陽電池板を有していて、上記３枚の太陽電池板は上記支柱に沿った方向に伸びており、さらに上記支柱に沿った方向を横切る面において上記３枚の太陽電池板が三角形の辺に対応する位置にそれぞれ配置されている、ことを特徴とする監視装置。
【請求項３】
請求項２に記載の監視装置において、パイルがさらに設けられ、上記パイルには回転することにより上記パイルが地中に埋設されるための螺子が形成されており、上記パイルにより上記支柱が支持される構造である、ことを特徴とする監視装置。
【請求項４】
請求項３に記載の監視装置において、上記発電装置の上にカメラ装置が設けられている、ことを特徴とする監視装置。
【請求項５】
請求項３に記載の監視装置において、上記発電装置の下にカメラ装置が設けられている、ことを特徴とする監視装置。
【考案の詳細な説明】
【技術分野】
【０００１】
本考案は周囲状況を監視するための監視装置に関する。
【背景技術】
【０００２】
自然界の状態あるいは人的要因に起因する状態などの監視が必要となる場合が多々ある。監視したい場所に監視人が常に留まっていることは不可能であり、また非効率である。このような理由から監視装置が利用される。上記監視装置は監視動作を行うためにあるいは監視動作に関する指示あるいは監視結果の送信のために電力が必要である。一般に利用されている商用電力を使用できれば電力の確保は大きな問題ではない。しかし監視を必要とする場所に予め商用電力の受電装置が整っていることは極めて稀である。また迅速な対応が要求されることが多い。監視が必要となった場合に速やかに監視を開始することが望ましく、商用電力を確保している時間的な余裕がないことが多々あり、また監視したい場所にそもそも商用電力の設備を準備することが困難な場合が多い。
【０００３】
このため太陽光を利用して発電を行う方式が利用される。例えば太陽電池の一種である太陽電池パネルを用いて発電し、発電した電力を蓄電池に蓄え、蓄電された電力を利用する監視装置が特許文献１に記載されている。
【先行技術文献】
【特許文献】
【０００４】
【特許文献１】特開２０１５−６４８００号公報
【考案の概要】
【考案が解決しようとする課題】
【０００５】
上述の監視装置では太陽光を受光できる昼間に発電して蓄電池に充電し、夜間は充電した電力で動作する。昼間の充電で夜間の監視動作を可能にすることが要求される。さらに雨天など発電環境の悪い状態が続いた場合においても、監視動作を維持できることが求められる。また季節にかかわらず監視動作を維持できることが求められる。一方、季節や時間により、太陽の方向が変化する。このため、太陽の方向が変化しても安定した電力が得られることが求められる。
【０００６】
本考案の目的は、安定した発電が可能な監視装置を提供することである。
【課題を解決するための手段】
【０００７】
上記課題を解決する第１考案に係る監視装置は、複数の発電用の太陽電池板を有する発電装置と、カメラ装置と、蓄電池と、本体制御装置と、カメラ制御装置と、通信装置と、収納箱と、上記発電装置や上記カメラ装置や上記蓄電池や上記本体制御装置や上記カメラ制御装置や上記通信装置や上記収納箱を支えるための支柱、を備え、上記収納箱を上記支柱に沿った方向に長い縦長形状とし、その外周に上記複数の発電用の太陽電池板を配置し、上記複数の発電用の太陽電池板を上記支柱に沿った方向に長い縦長形状とした、ことを特徴とする。
【０００８】
上記課題を解決する第２考案に係る監視装置は、第１考案に係る監視装置において、上記発電装置は３枚の太陽電池板を有していて、上記３枚の太陽電池板は上記支柱に沿った方向に伸びており、さらに上記支柱に沿った方向を横切る面において上記３枚の太陽電池板が三角形の辺に対応する位置にそれぞれ配置されている、ことを特徴とする。
【０００９】
上記課題を解決する第３考案に係る監視装置は、第２考案に係る監視装置において、パイルがさらに設けられ、上記パイルには回転することにより上記パイルが地中に埋設されるための螺子が形成されており、上記パイルにより上記支柱が支持される構造である、ことを特徴とする。
【００１０】
上記課題を解決する第４考案に係る監視装置は、第３考案に係る監視装置において、上記発電装置の上にカメラ装置が設けられている、ことを特徴とする。
【００１１】
上記課題を解決する第５考案に係る監視装置は、第３考案に係る監視装置において、上記発電装置の下にカメラ装置が設けられている、ことを特徴とする。
【考案の効果】
【００１２】
本考案によれば安定した発電が可能となり、安定した監視動作が得られる、監視装置を得ることができる。
【図面の簡単な説明】
【００１３】
【図１】本考案が適用された監視装置の一例の外観の内上部の外観を説明する説明図である。
【図２】本考案が適用された監視装置の一例の外観を内下部の外観を説明する説明図である。
【図３】発電装置およびカメラ装置の側面図である。
【図４】発電装置およびカメラ装置の上面図である。
【図５】発電装置の内部に配置された装置の説明図である。
【図６】他の実施形態を示す説明図である。
【考案を実施するための形態】
【００１４】
１．監視装置１００の概要に付いて
図１と図２は、本考案が適用された監視装置１００の外観を説明するための説明図であり、図１は監視装置１００の上部外観を示し、図２は監視装置１００の下部外観を示す。支柱１１０は例えば円筒中空の金属製の柱であり、支柱１１０に必要な装置が固定され、これらの装置は支柱１１０により支持されている。もちろん支柱１１０は金属製の円筒中空の形状に限られるものではないが、他の色々な形状に対して、機械的強度や信頼性の点、あるいは運搬性や取扱い性の点で、円筒中空の金属製の柱は最も優れている。
【００１５】
１．１  監視装置１００の据え付けについて
本考案に係る監視装置１００は、自然災害などの対策や人的被害の予防などを含めた色々な目的の監視に対応できる。また監視の必要性が明らかになった場合に、監視体制を速やかに整えることが望ましく、監視装置１００はこのような観点を十分に考慮し、運搬性や取扱い性、設置性に優れた構造を有している。
【００１６】
支柱１１０には、上部に監視のためのカメラ装置１７０が設けられている。またその下には、カメラ装置１７０を制御して監視作業を行うためのカメラ制御装置や本体制御装置や監視情報を送信すると共に遠隔操作を可能にする通信装置や電力を蓄える蓄電池などを収納する収納箱２５０や、収納箱２５０の外周に取り付けられた太陽電池板を備える発電装置２００が設けられている。発電装置２００は太陽光を受けて発電し、発電した電力が上述の蓄電池に蓄えられ、上記蓄えられた電力の供給を受けて、上記収納箱２５０内に設けられた上記カメラ制御装置や上記本体制御装置や上記通信装置が動作する。またパイル１２０には上記通信装置の送受信に使用するアンテナ装置１５０が設けられている。
【００１７】
監視装置１００は必要に応じて、地中に埋設したパイル１２０により支柱１１０を固定し支持することができる。パイル１２０には支柱１１０を固定し支持するための接続部１２４が設けられており、支柱１１０には同様にパイル１２０に支柱１１０を固定支持するための接続部１１６が設けられ、接続部１１６と接続部１２４はボルトとナットなどを含めた機械的な固定具等により固定される。なお、パイル１２０は必ずしも必須の構成では無く、他に支柱１１０を固定する手段があれば、パイル１２０を使用しなくても良い。
【００１８】
上述したように監視の必要性が生じた場合に、速やかに監視装置１００を据え付けられることが望ましい。このためには、監視を必要とする場所に速やかに監視装置１００を運送し、速やかに設置できることが望ましい。本実施例では、運搬性や設置性の向上を図るために、分割して運搬し、設置場所で簡単に組み立てられる構造になっている。カメラ装置１７０と発電装置２００とが分割できる構造となっていて、接続装置１１２により、カメラ装置１７０が支柱１１０に固定される構造となっている。監視装置１００は監視機能を果たす観点からカメラ装置１７０が高い位置に設置される構造となっており、監視装置１００はそのための長さを有していて、運搬には不向きである。またカメラ装置１７０は衝撃に弱い装置であり、運搬作業や設置作業において特に注意を払うことが必要である。さらに大きさの点や重さの点で、カメラ装置１７０と、収納箱２５０および発電装置２００とは異なっている。このため運搬作業において、包装などを含めた運搬方法が異なってくる。このようなことからカメラ装置１７０と、収納箱２５０や太陽電池板２２０と、を分離して、設置場所で一体化することが好ましい。なお運搬に際しては発電装置２００で囲まれた収納箱２５０の内部に設けられる各制御装置や蓄電池２６０の一部を取り外して運搬し、発電装置２００の設置作業中に、収納箱２５０内に取り付けるようにしても良い。
【００１９】
上述のように、本実施例では、監視装置１００は少なくとも、カメラ装置１７０と発電装置２００とパイル１２０とに分割可能な構成である。監視装置１００の設置作業において、接続装置１２２により機械的にカメラ装置１７０と発電装置２００の部分とを固定する構造としているので、本実施例の監視装置１００は運搬性に優れており、設置作業の安全性を確保し易い構造となっている。さらに支柱１１０とパイル１２０とを支柱１１０の接続部１１６とパイル１２０の接続部１２４とで、着脱可能としているので、運搬性に優れており、安全性にも優れていることは当然であるが、支柱１１０をパイル１２０以外の支持装置によって固定して監視装置１００を使用する、言い換えるとパイル１２０を使用しないことも可能である。
【００２０】
２．監視装置１００の各構成に付いて
２．１  パイル１２０について
パイル１２０の接続部１２４は支柱１１０の接続部１１６との接続作業のために接続部１２４を地表１０の外に位置するようにして、パイル１２０が埋設される。パイル１２０はその先端にとがった形状のパイル先端部１２２が形成され、それに続いて螺子１３０が成形されている。螺子１３０によりパイル１２０を回転させることにより、回転方向により、パイル１２０を地中に埋設したり、埋設にされているパイル１２０を抜き取ったりすることが可能となる。パイル１２０の端部に設けられた接続部１２４はパイル１２０に回転力を与えるために利用することができる。
【００２１】
２．２  発電装置２００および収納箱２５０の内部配置について
支柱１１０には、その内部に各種制御装置や蓄電池２６０を備える収納箱２５０が設けられ、収納箱２５０の外周に発電装置２００が設けられている。図１は発電装置２００およびカメラ装置１７０を正面から見た図であり、図３は発電装置２００やカメラ装置１７０を、側面から見た図である。また図４は発電装置２００およびカメラ装置１７０を上面から見た図である。図４に記載のように発電装置２００は３枚の太陽電池板である太陽電池板２２０や太陽電池板２３０、太陽電池板２４０を有している。太陽電池板２２０や太陽電池板２３０、太陽電池板２４０は、その内部に収納空間を形成する収納箱２５０が設けられ、該収納箱２５０の外周に３枚の太陽電池板である太陽電池板２２０や太陽電池板２３０、太陽電池板２４０が設けられている。図３に記載の如く、収納箱２５０はその開口部の周囲に支持枠２５２が設けられており、支持枠２５２にはヒンジ２２２やヒンジ２２４が設けられ、ヒンジ２２２やヒンジ２２４によって扉２５４が開閉可能に支持されている。扉２５４には太陽電池板２２０が設けられていて、太陽電池板２２０の側部に図１に記載のように扉２５４をロックするためのロック機構２０２が設けられ、許可なく扉２５４を開くことができないようになっている。
【００２２】
図４に記載のように太陽電池板２２０や太陽電池板２３０、太陽電池板２４０は、三角形を形成するように配置され、該三角形の各辺に設けられている。発電エネルギの供給元である太陽は、時間と共にその位置を変え、さらにその移動は季節により異なる。監視装置１００を設置するに当たっては、大きな樹木などの明らかな障害に対しては、対応することが比較的容易であるが、太陽との位置関係を詳細に検討して設置位置を確定することは時間がかかり、できるだけ避けたい。また設置方向は、例えば監視方向とカメラ装置１７０の向きを考慮するなどにより決める方がよく、太陽光との関係で設置の向きを定めることはできるだけ避けたい。従って太陽光との関係をそれほど考慮しなくても効率よく、また安定して発電できることが望ましい。
【００２３】
図１から図５に記載の実施形態では、太陽電池板２２０や太陽電池板２３０、太陽電池板２４０を三角形の各辺に配置した形状であり、さらに上記三角形の形状が比較的正三角形に近い関係である。このような形状であるため、太陽との向きが変わっても比較的安定した発電が可能となる。言い換えると太陽との向きを考慮しなくても安定した発電が可能となる。例えば、表と裏の２面に太陽電池板を配置する形状や、四角い形状の４面に太陽電池板を配置する状態では、太陽の方向と太陽電池板の向きにより、太陽電池板による発電電力が大きく変動する。このような構造に比べ、本実施例の如く三角形の各辺に太陽電池板を配置した形状では、上述したように太陽電池板と太陽との向きが変化しても、発電電力の変化が比較的少ない。従って安定した電力の確保が可能となる。
【００２４】
また太陽電池板２２０や太陽電池板２３０、太陽電池板２４０が垂直に近い関係で設けられている。太陽光をより多く受けるためには、太陽電池板２２０や太陽電池板２３０、太陽電池板２４０の上辺が形成する三角形の各辺より、太陽電池板２２０や太陽電池板２３０、太陽電池板２４０の下辺が形成する三角形の各辺が大きいことが望ましい。しかし太陽電池板２２０や太陽電池板２３０、太陽電池板２４０の上辺が形成する三角形の各辺の長さと太陽電池板２２０や太陽電池板２３０、太陽電池板２４０の下辺が形成する三角形の各辺の長さの差が大きくなると雨や雪などの影響を受け易くなる。このため太陽電池板２２０や太陽電池板２３０、太陽電池板２４０を垂直に近い形状とすることにより、雨や雪などの影響を少なくすることができる。また運搬などの点においても、垂直に近い方が優れている。上述したように本実施例では、三角形を形成する各辺に太陽電池板２２０や太陽電池板２３０、太陽電池板２４０が配置されており、安定した発電電力が得られる。このようなことから、太陽電池板２２０や太陽電池板２３０、太陽電池板２４０を垂直に配置しても十分な電力を確保することが可能となる。
【００２５】
２．３  発電装置２００の内側の収納箱２５０に設けられた装置について
図５に収納箱２５０の内部に収納された装置の一例を記載する。収納箱２５０の下部に蓄電池２６０を配置している。その上に本体に関わる制御を行うための本体制御装置２７０を配置し、さらに上部にカメラ装置１７０を制御するためのカメラ制御装置２８０を配置している。また遠隔操作で情報のやり取りを行うための通信装置２７２が設けられている。蓄電池２６０や本体制御装置２７０、通信装置２７２、カメラ制御装置２８０の配置関係を説明したがこれは、必須ではなく、本実施形態は一例である。しかし蓄電池２６０の質量が大きい場合には、蓄電池２６０を下部に設けた方が好ましい。
【００２６】
２．４  監視装置１００の上部の構造について
図５は収納箱２５０に設けられている扉２５４を取り外した状態を表している。通常は扉２５４がヒンジ２２２やヒンジ２２４により開閉可能に収納箱２５０の支持枠２５２に固定されていて、扉２５４を開くことにより、収納箱２５０に収納されている蓄電池２６０や本体制御装置２７０、通信装置２７２、カメラ制御装置２８０、などのメンテナンスや調整、などを行うことができる。
【００２７】
監視装置１００の上部にカメラ装置１７０など、監視のための装置が支持装置１１４により、支柱１１０の上部に取り付けられている。この実施例では、さらに通信装置２７２の送受信に使用するアンテナが設けられている。図１や図３、図５に記載するように、カメラ装置１７０と発電装置２００とは縦長の形状の接続装置１１２により接続されている。カメラ装置１７０は出来るだけ死角が生じないことが、監視能力の向上においてたいへん重要である。接続装置１１２を縦長形状とすることにより機械的な強度が向上し、カメラ装置１７０の固定に係る信頼性を向上することができると共に、発電装置２００の上端部とカメラ装置１７０のカメラとの間の距離を確保することができる。発電装置２００の上端部とカメラ装置１７０のカメラとの間の距離が不十分であると、カメラ装置１７０に発電装置２００に伴う死角が生じる。
【００２８】
さらに本実施例では、上述したように発電装置２００を構成する太陽電池板２２０や太陽電池板２３０や太陽電池板２４０を支柱１１０に沿って垂直に配置している。このためカメラ装置１７０の死角が非常に小さくなっている。それに加え、上述したように太陽電池板２２０や太陽電池板２３０や太陽電池板２４０が三角形の辺を構成するように配置されている。この配置により太陽光を安定した状態で受けることが可能となり、支柱１１０に沿って垂直に配置しても十分な発電が可能となっている。このような効果に加え、支柱１１０に沿って垂直に上記太陽電池板をそれぞれ配置する形状を成しているので、カメラの撮影を邪魔する範囲が少なくなり、カメラ装置１７０の死角をより小さくする効果が生まれている。
【００２９】
カメラ装置１７０の内部には遠隔操作により撮影の方向や角度が変わる画像撮影用カメラが設けられている。通信回線を介して操作者が操作することにより、画像撮影用カメラが捉えた画像が操作者の元に送られ、操作者が確認することが可能となる。カメラ装置１７０の形状や形式に制限があるわけでなく、色々なカメラをカメラ装置１７０として使用することが可能である。
【００３０】
本実施形態では、送受信用のアンテナ装置１５０をカメラ装置１７０にあるいはその周辺に設けている。カメラ装置１７０やアンテナ装置１５０は収納箱２５０に比べると比較的繊細に作られている。このため運搬などではアンテナ装置１５０をカメラ装置１７０と同様に扱う方が作業性や安全性の点で望ましい。このようなことで、本実施形態ではアンテナ装置１５０をカメラ装置１７０に、あるいはその周辺に、設けている。
【００３１】
３．他の実施形態
図６は本考案を適用した他の実施形態を説明する説明図である。同一符号はほぼ同じ構成を示し、ほぼ同じ機能であり、略同じ効果を奏する。これらについての重複した説明を省略する場合がある。図６ではカメラ装置１７２を発電装置２００の上ではなく、発電装置２００の下に取り付け器具１１８により取り付けられている。この構造とすることにより、カメラ装置１７２の下方向の死角を非常に小さくすることができる。
【００３２】
本実施形態では、監視の目的により、カメラの種類を変えることができ、また取り付け位置も発電装置２００の上だけでなく、発電装置２００の下に取り付けることも、選択的に可能となる。例えば自然災害の防止を目的として土石流などの発生を監視する場合は、監視対象域と監視装置１００との位置関係により、適切な種類のカメラを発電装置２００の上部あるいは下部の内の適切な位置に配置することが可能である。また異なる種類のカメラを発電装置２００の上と下にそれぞれ設けるようにしてもよい。例えば発電装置２００の上部に一般的な肉眼に似た特性の画像撮影のためのカメラを設置し、発電装置２００の下部に肉眼では見えない画像の撮影を行う例えば赤外線カメラをカメラ装置１７２設けるようにしてもよい。このようにすることで、昼間は発電装置２００の上部に設けたカメラ装置１７０で周囲の画像を撮影することにより、監視を行い、夜は図６に記載のように、装置２００の下部に設けたカメラ装置１７２としての赤外線カメラで監視をすることで、より適切な監視が可能となる。このようにカメラ装置１７０とカメラ装置１７２とに選択的に異なる種類のカメラを使用するようにしてもよい。このようにすることで、より高度な監視が可能となる。
【符号の説明】
【００３３】
１０・・・地表、１００・・・監視装置、１１０・・・支柱、１１２・・・接続装置、１１４・・・支持装置、１１６・・・接続部、１２２パイル先端部、１２４・・・接続部、１３０・・・螺子、１５０・・・アンテナ装置、１７０・・・カメラ装置、１７２・・・カメラ装置、２００・・・発電装置、２０２・・・ロック機構、２２０・・・太陽電池板、２３０・・・太陽電池板、２４０・・・太陽電池板、２５０・・・収納箱、２５２・・・支持枠、２５４・・・扉、２６０・・・蓄電池、２７０・・・本体制御装置、２７２・・・通信装置、２８０・・・カメラ制御装置。
【図１】
0003204132.tif 000003
【図２】
0003204132.tif 000004
【図３】
0003204132.tif 000005
【図４】
0003204132.tif 000006
【図５】
0003204132.tif 000007
【図６】
0003204132.tif 000008